(57)【要約】【課題】石製体の移動容易性を保持した構成を有しつつ、製造や交換が簡易である石製体のスライド機構を実現する。【解決手段】納骨室扉１０は、開閉移動を可能に、石にて製造された納骨室扉本体部９と、納骨室扉本体部９を支持する納骨室扉上枠部７と納骨室扉下枠部８とを有し、納骨室扉上枠部７及び納骨室扉下枠部８の表面には、納骨室扉本体部９を進退移動可能に遊嵌させる溝部７ａ・８ａが形成されていると共に、溝部８ａには、納骨室扉本体部９を載置又は懸架する複数のガラス玉１３が並設されている。【選択図】図１
2008115655.tif 000002
【特許請求の範囲】
【請求項１】
進退移動を可能に、石にて製造された石製体と、
上記石製体を支持する支持体とを有し、
上記支持体の表面には、上記石製体を進退移動可能に遊嵌させる支持体溝部が形成されていると共に、
上記支持体溝部には、上記石製体が載置又は懸架される複数の球体が並設されていることを特徴とする石製体のスライド機構。
【請求項２】
進退移動を可能に、石にて製造された石製体と、
上記石製体の下部を支持する下側支持体とを有し、
上記下側支持体の表面には、上記石製体の下部を進退移動可能に遊嵌させる下側支持体溝部が形成されていると共に、
上記下側支持体溝部には、上記石製体の下部が載置される複数の球体が並設されていることを特徴とする石製体のスライド機構。
【請求項３】
上記球体は、錆びに対して耐性を有することを特徴とする請求項１または２に記載の石製体のスライド機構。
【請求項４】
上記球体は、ガラスからなっていることを特徴とする請求項３に記載の石製体のスライド機構。
【請求項５】
上記下側支持体溝部には、外部に連通する排水部が設けられていることを特徴とする請求項２に記載の石製体のスライド機構。
【請求項６】
上記石製体は、引き戸本体であることを特徴とする請求項１から５の何れか１項に記載の石製体のスライド機構。
【請求項７】
上記引き戸本体を２つ備えた両開き型の石製体のスライド機構であって、上記２つの引き戸本体を進退移動可能に遊嵌させる上記支持体溝部または上記下側支持体溝部が２つ形成されていることを特徴とする請求項６に記載の石製体のスライド機構。
【請求項８】
上記石製体における支持体側表面または下側支持体側表面には、上記支持体溝部に向けて突出する凸条部が形成されていることを特徴とする請求項１〜７の何れか１項に記載の石製体のスライド機構。
【請求項９】
上記凸条部が非連続的に形成されていることを特徴とする請求項８に記載の石製体のスライド機構。
【請求項１０】
上記支持体溝部または上記下側支持体溝部は、湾曲して形成されていると共に、上記石製体も湾曲していることを特徴とする請求項１〜７の何れか１項に記載の石製体のスライド機構。
【請求項１１】
請求項１から１０の何れか１項に記載の石製体のスライド機構を備える石製扉。
【請求項１２】
納骨室の内部と外部とを連通する開口部を塞ぐ納骨室扉として使用されることを特徴とする請求項１１に記載の石製扉。
【発明の詳細な説明】
【技術分野】
【０００１】
本発明は、石製体のスライド機構に関するものであり、例えば、石製扉のスライド機構に関するものである。
【背景技術】
【０００２】
従来、墓石には、骨壷を納めるための納骨室が設けられており、この納骨室には、納骨室の開口部を塞ぐための石製の扉（納骨室扉）が設置されている。納骨の際には、この納骨室扉を開き、骨壷を納めるようになっている。
【０００３】
納骨室扉に用いられる扉の型としては、開き戸型や、引き戸型等がある。
【０００４】
この引き戸型の納骨室扉の一例として、次に示すような両開き型のスライド扉がある。
【０００５】
以下、両開き型のスライド式納骨室扉について、図９を用いて説明する。
【０００６】
図９は、従来の納骨室扉を示す図である。図９（ａ）は、従来の納骨室扉の全体図を示した図である。図９（ｂ）は、従来の納骨室扉の下枠部をそれぞれ示した斜視図である。また、図９（ｃ）は、従来の納骨室扉の下枠部の上面図である。
【０００７】
図９に示した従来のスライド式納骨室扉１００は、石製の扉本体部１０１と、石製の扉下枠部１０２と車輪部１０３（図示せず）とを組み合わせた構成である。
【０００８】
扉本体部１０１は、下面、すなわち扉下枠部１０２と対向する面に車輪部１０３を備えている。また、扉下枠部１０２は、上面、すなわち扉本体部１０１と対向する面に図９（ｂ）に示すような鉄製のレール部１０４を備えている。
【０００９】
納骨室扉１００は、車輪部１０３がレール部１０４の上を動くことにより、扉本体部１０１が移動可能となり、この車輪部１０３及びレール部１０４を介した扉本体部１０１の前記動作により納骨室扉１００は開閉する。
【００１０】
このように、戸車のようにレールと車輪とを用いることにより、比較的重量の大きい石製の納骨室扉であっても、大きな力を加えることなしに容易に開閉することができる。
【発明の開示】
【発明が解決しようとする課題】
【００１１】
しかしながら、従来のスライド機構を用いた納骨室扉１００では、石製の扉本体部１０１には車輪部１０３を、また、扉下枠部１０２にはレール部１０４をそれぞれ設ける必要があり、納骨室扉を製造するのに手間がかかってしまう。
【００１２】
また、車輪部１０３やレール部１０４は、長年使用していると、熱等による変形や、水等による腐食が原因で劣化するおそれがある。このように、車輪部１０３やレール部１０４が劣化すると交換する必要性が生じるが、従来の納骨室扉１００では、このような交換する場合でも手間がかかってしまう。例えば、納骨室扉１００の車輪部１０３が劣化した場合、劣化した車輪部１０３を一旦取り外してから新しい車輪部を取り付けるという作業が必要となり手間がかかってしまう。
【００１３】
本発明は、上記の問題点を鑑みてなされたものであり、その目的は、石製体の進退移動容易性を保持した構成を有しつつ、製造や交換が簡易である石製体のスライド機構及び石製扉を実現することである。
【課題を解決するための手段】
【００１４】
本発明の石製体のスライド機構は、上記課題を解決するために、進退移動を可能に、石にて製造された石製体と、上記石製体を支持する支持体とを有し、上記支持体の表面には、上記石製体を進退移動可能に遊嵌させる支持体溝部が形成されていると共に、上記支持体溝部には、上記石製体が載置又は懸架される複数の球体が並設されていることを特徴としている。
【００１５】
上記構成によれば、上記石製体は、上記支持体溝部に並設された複数の球体の回転移動により進退移動が可能となるため、重量の大きい石製体であっても大きな力を加えることなしに容易に進退移動することができる。
【００１６】
さらに、上記石製体のスライド機構は、上記支持体溝部に球体を備えるだけでよいため、従来のようにレール部や車輪部などを装着する等の手間を省くことができる。また、劣化が原因により球体を交換する必要が生じた場合にも、劣化した球体だけを取り替えるだけでよいため簡易に交換することができる。
【００１７】
従って、石製体の進退移動容易性を保持した構成を有しつつ、製造や交換が簡易である石製体のスライド機構を実現することができる。
【００１８】
また、本発明の石製体のスライド機構は、進退移動を可能に、石にて製造された石製体と、上記石製体の下部を支持する下側支持体とを有し、上記下側支持体の表面には、上記石製体の下部を進退移動可能に遊嵌させる下側支持体溝部が形成されていると共に、上記下側支持体溝部には、上記石製体の下部が載置される複数の球体が並設されていることを特徴としている。
【００１９】
上記構成によれば、上記石製体は、上記下側支持体溝部に並設された複数の球体の回転移動により進退移動が可能となるため、重量の大きい石製体であっても大きな力を加えることなしに容易に進退移動することができる。
【００２０】
さらに、上記石製体のスライド機構は、上記下側支持体溝部に球体を備えるだけでよいため、従来のようにレール部や車輪部などを装着する等の手間を省くことができる。また、劣化が原因により球体を交換する必要が生じた場合にも、劣化した球体だけを取り替えるだけでよいため簡易に交換することができる。
【００２１】
従って、石製体の進退移動容易性を保持した構成を有しつつ、製造や交換が簡易である石製体のスライド機構を実現することができる。
【００２２】
また、上記球体は、錆びに対して耐性を有することが好ましい。
【００２３】
上記構成によれば、錆を発生しないため、本発明に係る石製体のスライド機構は、錆によって劣化するおそれがなく、長く使用し続けることが可能となる。
【００２４】
また、上記球体がガラスからなっていることが好ましい。
【００２５】
上記構成によれば、ガラスは非金属特性を有するため錆を発生しない。
【００２６】
従って、錆を発生しないため、錆によって劣化するおそれがなく、長く使用し続けることが可能となる。
【００２７】
また、上記下側支持体溝部には、外部に連通する排水部が設けられていることが好ましい。
【００２８】
上記構成によれば、雨等により前記下側溝部内に水が入り、溝部内に水が溜まった場合でも、前記排水部により、溜まった水を外部に排出することができる。よって、溝部内に水が溜まることによって生じる球体の回転移動の低下を防ぐことができる。
【００２９】
また、本発明の石製体のスライド機構における上記石製体は、引き戸本体であってもよい。
【００３０】
上記構成によれば、上記本発明の石製体のスライド機構を引き戸型の扉に用いることができる。
【００３１】
また、上記引き戸本体を２つ備えた両開き型の石製体のスライド機構であって、上記２つの引き戸本体を進退移動可能に遊嵌させる支持体溝部または下側支持体溝部は２つ形成することが可能である。
【００３２】
上記構成によれば、上記本発明の石製体のスライド機構では、上記２つの各溝部内を２つの引き戸本体がそれぞれ進退移動するため、引き戸本体の動く位置は、溝部が形成されている範囲のみとなり、移動範囲は限られる。これにより、上記２つの引き戸本体の閉じる位置を固定することができる。
【００３３】
また、上記石製体における支持体側表面または下側支持体側表面には、支持体溝部に向けて突出する凸条部が形成されていることが好ましい。
【００３４】
上記構成によれば、上記溝部に遊嵌される凸条部は、石製体より厚みが薄いため、石製体の端部が溝部に遊嵌される場合の溝幅よりも狭い溝幅にすることができる。これにより、石製体の厚みを薄くすることなく、溝幅を小さくすることができるため、溝を形成するスペースがあまりない場合などに有効である。
【００３５】
また、上記凸条部は非連続的に形成されていることが好ましい。
【００３６】
上記構成によれば、上記石製体における上記支持体側の端部の面に凸条部を形成しない部分があるため、連続的に凸条部を形成している場合に比べて、使用する石の量が少なくて済むため、コストが安くなる。
【００３７】
本発明の石製体スライド機構における上記支持体溝部または下側支持体溝部は、湾曲して形成されていてもよく、上記石製体も湾曲していてもよい。
【００３８】
例えば、部屋のような閉じられた空間に上記構成の石製体のスライド機構を用いた扉を備える場合、直線状のスライド機構を用いた扉を備える場合に比べて、部屋の内部空間の容積を大きくすることができる。
【００３９】
上記構成の石製体のスライド機構を備える石製の扉であってもよく、また、納骨室の内部と外部とを連通する開口部を塞ぐ納骨室扉であってもよい。
【００４０】
上記構成によれば、納骨室扉以外に香炉に備え付けられた石製の扉や、石製の灯篭などに備え付けられる石製の扉等であってもよい。
【発明の効果】
【００４１】
以上のように、本発明の石製体のスライド機構は、進退移動を可能に、石にて製造された石製体と、上記石製体の下部を支持する下側支持体とを有し、上記下側支持体の表面には、上記石製体の下部を進退移動可能に遊嵌させる下側支持体溝部が形成されていると共に、上記下側支持体溝部には、上記石製体の下部が載置される複数の球体が並設されているものである。
【００４２】
それゆえ、石製体の進退移動容易性を保持した構成を有しつつ、製造や交換が簡易である石製体のスライド機構及び石製扉を実現するという効果を奏する。
【発明を実施するための最良の形態】
【００４３】
〔実施の形態１〕
以下、本実施の一形態について、図１〜図６に基づいて説明する。
【００４４】
本実施の形態では、石製体のスライド機構の一例として、墓石に備えられる石製のスライド型の納骨室扉を用いて説明する。
【００４５】
また、本実施の形態の納骨室扉は、両開き型である。
【００４６】
図３は、墓石１全体の外観を示す斜視図である。
【００４７】
墓石１は、図３に示すように、墓石の本体である墓石本体部２と、外柵部３と、香炉部４と、花立部５と、香炉台６とを備え、さらに内部には納骨室１２（図４）を備える。
【００４８】
外柵部３は、墓石１と隣接する墓石との領域を仕切るために、墓石１を囲むように形成されるものであって、境界石や巻石とも呼ばれる。本実施の形態の外柵部３は、墓石の下部を囲む外柵部３ａと、墓石１の上部を囲む外柵部３ｂとから成る。
【００４９】
香炉部４は、お香を焚くために設けられるものであり、内部には、お香を焚くための空間が形成されている。花立部５は、花を飾るために設けられるものである。香炉部４及び花立部５は、香炉台６の上に設置されている。
【００５０】
図４は、墓石本体部２及び外柵部３ｂを取り除いた墓石１を示す斜視図であり、納骨室１２の外観を示した図である。
【００５１】
納骨室１２は、図４に示すように、外柵部３ａで仕切られることによって形成される内部の空間に設置される。
【００５２】
納骨室１２は、骨壷を納めるための閉ざされた空間であり、納骨室１２と外部側とを連結する開口部に設けられた納骨室扉１０と、外郭部１１とから構成される。
【００５３】
ここで、外部側とは、納骨室１２の内部に対する外側を意味する。
【００５４】
具体的には、外郭部１１は、鉛直方向に延びた３枚の石が、互いに９０°の角度を成すように、また、３枚の石を上方から見ると略コの字の形状となるように構成されている。
【００５５】
納骨室扉１０は、外郭部１１を構成する３枚の石と組み合わせることにより閉じた空間（納骨室１２）を形成するように設けられ、納骨室扉上枠部７（支持体）と、納骨室扉下枠部８（支持体、下側支持体）と、納骨室扉本体部９（石製体）とから構成される。
【００５６】
納骨室１２の底面は、直接地面と接するようになっており、骨壷を土の上に置くようになっている。また、外郭部１１及び納骨室扉上枠部７の上に墓石本体部２を積層することにより墓石１が構成されるため、納骨室１２の天井面は、墓石本体部２の底面である。
【００５７】
以下、本願発明の特徴部である納骨室扉１０の構成について、図１（ａ）〜図１（ｃ）を用いて詳細に説明する。
【００５８】
図１は、納骨室扉１０の概略構成を示す図である。図１（ａ）は、湾曲している納骨室扉１０を直線状に伸ばした場合の納骨室扉１０の鉛直断面図である。また、図１（ｂ）は、図１（ａ）のＡ方向から見たときの納骨室扉１０の鉛直断面図である。図１（ｃ）は、納骨室扉１０を示した斜視図である。
【００５９】
また、図２は、納骨室扉枠部を示した平面図である。図２（ａ）は、納骨室扉下枠部８の上面図である。また、図２（ｂ）は、納骨室扉上枠部７を示した平面図であり、納骨室扉本体部９を支持する側、すなわち下側から見た図である。
【００６０】
納骨室扉１０は、納骨室扉上枠部７と納骨室扉下枠部８とでそれぞれ上下方向から納骨室扉本体部９を挟みこむようにして、納骨室扉本体部９を移動可能に支持するスライド機構である。
【００６１】
納骨室扉上枠部７には、図２（ｂ）に示すように、納骨室扉本体部９を支持する側の面に、中心点Ｐａを中心とした半径Ｒの円周の略半円形状をした溝部７ａが連続して形成されている。この溝部７ａの鉛直断面形状は、矩形である。
【００６２】
ここで、中心点Ｐａは、納骨室扉上枠部７の重心が存在する面と同一平面上に存在することとする。
【００６３】
本実施の形態の納骨室扉１０は、両開き型のスライド扉であるため、納骨室扉本体部９は、納骨室扉本体部９ａと納骨室扉本体部９ｂとから構成されている。
【００６４】
図１（ａ）に示すように、納骨室扉本体部９ａは、把持部１４を備える。把持部１４は、納骨室扉本体部９を使用する人が、扉を開閉する際に把持する部分であり、納骨室扉本体部９ａにおける納骨室１２側の面と反対側の面、すなわち、納骨室１２に対して外部側の面上に備えられる。
【００６５】
納骨室扉本体部９ｂは、納骨室扉本体部９ａと同様に、納骨室扉本体部９ｂにおける納骨室１２に対して外部側の面上に把持部１４を備える。
【００６６】
また、納骨室扉本体部９ａ及び９ｂは、中心点Ｐａを中心とした半径Ｒの略半円形状に、すなわち、溝部７ａに沿うように湾曲している。
【００６７】
納骨室扉下枠部８は、図２（ａ）に示すように、納骨室扉本体部９を支持する側の面に、中心点Ｐａ’を中心とした半径Ｒの円周の略半円形状の連続した溝部８ａ（下側支持体溝部）を備える。
【００６８】
ここで、中心点Ｐａ’は、納骨室扉下枠部８の重心が存在する面と同一平面上に存在することとする。なお、中心点ＰａとＰａ’は同じ鉛直線上にあるものとする。
【００６９】
納骨室扉下枠部８は、さらに、溝部８ａの内部に、焼きを入れた複数のガラス玉１３（球体）を備える。ガラス玉１３は、納骨室扉本体部９の下部を介して、納骨室扉本体部９ａ・９ｂを移動可能に支持している。
【００７０】
次に、納骨室扉１０の動作について説明する。
【００７１】
納骨室扉を開けようとする人が、納骨室扉本体部９ａに対して、納骨室扉の開く方向（以下、開方向）に力を加えると、その加えた力により、納骨室扉本体部９ａの下に配置され、納骨室扉本体部９ａを支持するガラス玉１３が、納骨室扉本体部９ａの移動する方向に回転移動する。また、納骨室扉本体部９ｂに対して、納骨室扉の開方向に力を加えると、その加えた力により、納骨室扉本体部９ｂの下に配置され、納骨室扉本体部９ｂを支持するガラス玉１３が、納骨室扉本体部９ｂの移動する方向に回転移動する。このガラス玉１３の前記回転移動によって、納骨室扉本体部９ａの下側の端部１６ａ及び納骨室扉本体部９ｂの下側の端部１６ｂが溝部８ａ内を開方向へ移動し、また納骨室扉本体部９ａの上側の端部１５ａ及び納骨室扉本体部９ｂの上側の端部１５ｂが溝部７ａ内を開方向に移動し、その結果納骨室扉本体部９ａ、９ｂがそれぞれ開方向に移動することとなる。
【００７２】
ここで、溝部８ａの高さ、すなわち溝部の深さをＨとし、前記ガラス玉１３の直径をｒとすると、溝部８ａの高さＨの値はガラス玉の直径ｒの値よりも大きいことが好ましい。これは、もし、Ｈ＜ｒである場合、溝部８ａの側壁により支持されていた納骨室扉本体部９ａ・９ｂの下側端部１６ａ・１６ｂが溝部８ａ内に収まらなくなるため、納骨室扉本体部９ａ・９ｂの下側端部１６ａ・１６ｂは、溝部８ａによって支持されなくなる。よって、納骨室扉本体部９ａ及び９ｂは、不安定になるため、納骨室１２の外部側や内部側等に傾くおそれが生じる。
【００７３】
また、納骨室扉下枠部８に形成される溝部８ａが内部に備える前記ガラス玉１３の数は、溝部８ａの内部にぎっしりガラス玉１３を敷き詰めた状態のガラス玉１３の数をｎ個とすると、ｎ個から３、４個取り除いたｎ−３、又はｎ−４個であることが好ましい。
【００７４】
具体的には、納骨室扉本体部９における扉の開閉移動する方向に延びる側面の長さよりも、ガラス玉１３を敷き詰めた部分の溝部８ａの長さが少し長くなることがより好ましい。これは、溝部８ａの内部にぎっしり敷き詰めすぎると、ガラス玉同士の摩擦が大きくなってしまい、納骨室扉本体部３９の開閉動作が鈍くなるからである。
【００７５】
溝部７ａ、８ａの扉の開閉方向における長さＬは、納骨室扉本体部９ａ、９ｂの開閉方向の長さｌよりも大きく、その差Ｌ−ｌが大きいほど好ましい。前記差が大きいと、納骨室扉本体部９の動く範囲が大きくなり、扉を開いた時の開口部の幅、すなわち納骨室扉本体部９ａと９ｂとの幅が広くなる。これにより、骨壷を納め易くなる。
【００７６】
また、納骨室扉下枠部８に形成された溝部８ａには、排水溝１７（排水部）が形成されていてもよい。これにより、雨等により溝部８ａ内に水が入り、溝部８ａ内に水が溜まった場合でも、排水溝１７により溜まった水を外部に排出することができ、溝部８ａ内に水が溜まることによって生じるガラス玉１３の回転移動の低下を防ぐことができる。また、この排水溝１７の直径は、ガラス玉１３の直径に比べて非常に小さいことが好ましい。
【００７７】
このように、本実施の形態の納骨室扉１０は、複数の球体であるガラス玉１３（球体）を用いることによって、納骨室扉本体部９ａ、９ｂと納骨室扉下枠部８との摩擦力を低減することができる。これにより、扉を開ける人は、比較的重量の大きい石製の扉であるにも関わらず、大きな力を加えずに容易に扉の開閉をすることができる。
【００７８】
また、納骨室扉１０は、納骨室扉下枠部８にガラス玉１３を備えるだけで納骨室扉本体部９の進退移動を可能にできるため、従来のようにレール部や車輪部などを装着する手間を省くことができる。また、劣化が原因によりガラス玉１３を交換する必要が生じた場合にも、劣化したガラス玉１３だけを取り替えるだけで足りるため簡易に交換することができる。
【００７９】
また、本実施の形態では、錆に対して耐性を有するガラス玉を用いている。これにより、納骨室扉１０が雨水等で濡れても錆は発生しないため、錆が原因の劣化のおそれはほとんどない。
【００８０】
以上のことより、本実施の形態の納骨室扉１０は、扉の開閉容易性を保持する構成を有しつつ、簡易に製造や交換をすることができる。また、ガラス玉１３が劣化すれば、劣化したガラス玉１３を取り替えることによって、納骨室扉１０を半永久的に使用し続けることができる。
〔実施の形態２〕
本実施の形態における納骨室扉３０が、実施の形態１における納骨室扉１０と、納骨室扉本体部３９ａ・３９ｂに突出部３５ａ・３５ｂ、３６ａ・３６ｂが形成されている点で、本実施の形態と実施の形態１とは異なるが、それ以外の構成は同じであるため、同一の符号を付して説明を省略する。
【００８１】
図６は、本実施の形態における納骨室扉３０の概略構成を示す図であり、図６（ａ）は、湾曲している納骨室扉３０を直線状に伸ばした場合の納骨室扉３０の鉛直断面図である。また、図６（ｂ）は、図６（ａ）のＡ方向から見たときの納骨室扉３０の鉛直断面図である。図６（ｃ）は、納骨室扉３０の外観を示した斜視図である。
【００８２】
図７は、納骨室扉枠部を示した平面図である。図７（ａ）は納骨室扉下枠部を示した平面図である。また、図７（ｂ）は、納骨室扉上枠部を示した平面図であり、納骨室扉本体部９と連結する側、すなわち下側から見た図である。
【００８３】
納骨室扉３０は、納骨室扉上枠部３７と納骨室扉下枠部３８とでそれぞれ上下方向から納骨室扉本体部３９を挟みこむようにして、納骨室扉本体部３９を移動可能に支持しているスライド機構である。
【００８４】
納骨室扉上枠部３７は、図７（ｂ）に示すように、納骨室扉本体部３９を支持する側の面に、中心点Ｐｃを中心とした半径Ｒ’の円の円周の略１／４円形状の溝部３７ａと、中心点Ｐｂを中心とした半径Ｒ’の円の円周の略１／４円形状の溝部３７ｂとが形成されている。この溝部３７ａ・３７ｂの鉛直断面形状は矩形である。ここで、中心点Ｐｂ・Ｐｃは、納骨室扉上枠部３７の重心が存在する面と同一平面上に存在することとする。
【００８５】
本実施の形態の納骨室扉３０は、両開き型スライド扉であるため、納骨室扉本体部３９は、納骨室扉本体部３９ａと納骨室扉本体部３９ｂとから構成されている。
【００８６】
図６（ａ）に示すように、納骨室扉本体部３９ａは、納骨室扉本体部３９ａにおける納骨室１２に対して外部側の面に備えられる把持部１４と、納骨室扉上枠部３７側には溝部３７ａに向けて突出する突出部３５ａと、納骨室扉下枠部３８側には溝部３８ａ（図６）に向けて突出する突出部３６ａとを備える。
【００８７】
また、納骨室扉本体部３９ｂは、納骨室扉本体部３９ｂにおける納骨室１２に対して外部側の面に備えられる把持部１４と、納骨室扉上枠部３７側には溝部３７ｂに向けて突出する突出部３５ｂと、納骨室扉下枠部３８側には溝部３８ｂ（図６）に向けて突出する突出部３６ｂとを備える。
【００８８】
この突出部３５ａ・３５ｂ、３６ａ・３６ｂは、溝部３７ａ・３７ｂ、３８ａ・３８ｂに向けてそれぞれ突出しているため、この突出部の厚みは、納骨室扉本体部３９ａ・３９ｂの厚みよりも薄くなっている。
【００８９】
また、納骨室扉本体部３９ａは、中心点Ｐｃを中心とした半径Ｒ’の１／４の円周形状をした溝部３７ａに沿って湾曲している。また、納骨室扉本体部３９ｂは、中心点Ｐｂを中心とした半径Ｒ’の１／４の円周形状をした溝部３７ｂに沿って湾曲している。
【００９０】
納骨室扉下枠部３８は、図７（ａ）に示すように、納骨室扉本体部３９を支持する側の面に、中心点Ｐｃ’を中心とした半径Ｒ’の円周の略１／４円形状の溝部３８ａ（下側支持体溝部）と、中心点Ｐｂ’を中心とした半径Ｒ’の円周の略１／４円形状の溝部３８ｂとが形成されている。この溝３８ａ・３８ｂの鉛直断面形状は矩形である。
【００９１】
ここで、中心点Ｐｂ’及びＰｃ’は、納骨室扉下枠部３８の重心が存在する面と同一平面上に存在することとする。なお、中心点ＰｂとＰｂ’は同じ鉛直線上にあり、中心点ＰｃとＰｃ’は同じ鉛直線上にあるものとする。
【００９２】
納骨室扉下枠部３８は、さらに、溝部３８ａ及び３８ｂの内部に、焼きを入れた複数のガラス玉１３を備える。ガラス玉１３は、突出部３６ａ、３６ｂを介して、納骨室扉本体部３９ａ、３９ｂを移動可能に支持するようになっている。
【００９３】
ここで、溝部３８ａ及び溝部３８ｂの高さ、すなわち溝部の深さをＨとし、前記ガラス玉の直径をｒとすると、溝部３８ａ及び溝部３８ｂの高さＨの値はガラス玉１３の直径ｒの値よりも大きいことが好ましい。これは、もし、Ｈ＜ｒである場合、納骨室扉本体部３９ａ及び３９ｂに形成された突出部３６ａ及び３６ｂは溝部３８ａ及び溝部３８ｂ内に収まらなくなり、通常溝部３８ａ及び溝部３８ｂ内のみで移動する突出部３６ａ及び３６ｂが溝部３８ａ及び３８ｂ内からはみ出してしまい、納骨室扉本体部３９ａ及び３９ｂが傾くおそれがあるからである。
【００９４】
また、納骨室扉下枠部３８に形成される各溝の内部が備える前記ガラス玉１３の数は、溝部３８ａ、３８ｂの内部にぎっしりガラス玉を敷き詰めた状態のガラス玉の数をｎ個とすると、ｎ個から３、４個取り除いたｎ−３、又はｎ−４個であることが好ましい。
【００９５】
具体的には、納骨室扉本体部３９における扉の開閉移動する方向に延びる側面の長さよりも、ガラス玉１３を敷き詰めた部分の溝の長さが少し長くなることがより好ましい。
【００９６】
溝部３８ａ若しくは３８ｂの内部にぎっしり敷き詰めすぎると、ガラス玉同士の摩擦が大きくなってしまい、納骨室扉本体部３９の開閉動作が鈍くなるからである。
【００９７】
溝部３７ａ・３７ｂ、３８ａ・３８ｂの扉の開閉方向における長さＬは、納骨室扉本体部３９ａ、３９ｂの開閉方向の長さｌよりも大きく、その差Ｌ−ｌが大きいほど好ましい。前記差が大きいと、納骨室扉本体部３９の動く範囲が大きくなり、扉を開いた時の開口部の幅、すなわち納骨室扉本体部３９ａと３９ｂとの幅が広くなる。これにより、骨壷を納め易くなる。
【００９８】
また、納骨室扉下枠部３８に形成された溝部３８ａ・３８ｂには、それぞれ排水溝３３ａ・３３ｂが形成されていてもよい。これにより、雨等により溝部３８ａ・３８ｂ内に水が入り、溝内に水が溜まった場合でも、排水溝３３ａ・３３ｂにより溜まった水を外部に排出することができる。よって、溝部３８ａ・３８ｂ内に水が溜まることによって生じるガラス玉１３の回転移動の低下を防ぐことができる。また、この排水溝３３ａ・３３ｂの直径は、ガラス玉１３の直径に比べて非常に小さいことが好ましい。
【００９９】
また、納骨室扉本体部３９ａ・３９ｂは、図１（ａ）に示すように、両者が接触する位置、すなわち納骨室扉３０が閉じる位置において、隙間なくきっちり閉まるように、納骨室扉本体部３９ａは閉じ位置Ｑから開方向にｌａだけ、納骨室扉本体部３９ｂはｌｂだけ削られた形状となることが好ましい。
【０１００】
本実施形態では、納骨室扉上枠部及び納骨室扉下枠部のそれぞれに溝部が２つずつ形成されているため、閉じた際にこの２つの溝間の距離Ｌ’だけ、隙間が開いてしまう。このようなことを防ぐためには、ｌａ+ｌｂが溝間の距離Ｌ’以上となるようにすることが好ましい。
【０１０１】
次に、納骨室扉３０におけるスライド機構の動作について説明する。
【０１０２】
納骨室扉３０を開けようとする人が、納骨室扉本体部３９ａ・３９ｂに対して、納骨室扉３０が開く方向（以下、開方向）に力を加えると、その加えた力によりガラス玉１３が開方向に回転移動する。このガラス玉１３の開方向への回転移動によって、ガラス玉１３に載置されている突出部３６ａ・３６ｂは溝部３８ａ・３８ｂ内を開方向へ移動し、またそれに対応して突出部３５ａ・３５ｂは溝部３７ａ、３７ｂ内を開方向へ移動する。その結果、納骨室扉本体部３９ａ・３９ｂは、開方向に移動し、納骨室扉が開いた状態になる。
【０１０３】
図５は、本実施の形態における納骨室扉３０とは異なる型の納骨室扉２０を示す鉛直断面図である。
【０１０４】
本実施の形態では、突出部３５ａ・３５ｂは、納骨室扉本体部３９の納骨室扉上枠部３７と対向する側の面に、及び３６ａ・３６ｂは納骨室扉下枠部３８と対向する側の面にそれぞれ１つの突出部として連続的に形成されている。
【０１０５】
本発明はこれに限られず、図５に示すように、納骨室扉本体部１９ａに突出部２１ａ、２２ａが非連続的に２つずつ形成された納骨室扉本体部１９ａを有する納骨室扉２０であってもよいし、突出部が２つ以上形成された納骨扉本体部を有する納骨室扉であってもよい。
【０１０６】
このように、本実施の形態の納骨室扉３０は、複数の球体のガラス玉を用いることによって、納骨室扉本体部３９ａ・３９ｂと納骨室扉下枠部３８との摩擦力を低減することができる。これにより、扉を開ける人は、比較的重量の大きい石製の扉であるにも関わらず、大きな力を加えずに容易に扉の開閉をすることができる。
【０１０７】
また、納骨室扉３０は、納骨室扉下枠部３８にガラス玉１３を備えるだけで納骨室扉本体部３９の進退移動を可能にできるため、従来のようにレール部や車輪部などを装着する手間を省くことができる。また、劣化が原因によりガラス玉１３を交換する必要が生じた場合にも、劣化したガラス玉１３だけを取り替えるだけで足りるため簡易に交換することができる。
【０１０８】
また、本実施の形態では、錆に対して耐性を有するガラス玉を用いている。これにより、納骨室扉３０が雨水等で濡れても錆は発生しないため、錆が原因の劣化のおそれはほとんどない。
【０１０９】
以上のことより、本実施の形態の納骨室扉３０は、扉の開閉容易性を保持する構成を有しつつ、簡易に製造や交換をすることができる。また、ガラス玉１３が劣化すれば、劣化したガラス玉１３を取り替えることによって、納骨室扉３０を半永久的に使用し続けることができる。
【０１１０】
また、納骨室扉３０では、納骨室扉上枠部３７に形成された溝部３７ａ・３７ｂや納骨室扉下枠部３８に形成された溝部３８ａ・３８ｂ内に受容される、納骨室扉本体部３９の厚みよりも小さい厚みの突出部３５ａ・３５ｂ、３６ａ・３６ｂが設けられているため、溝部３７ａ・３７ｂや溝部３８ａ・３８ｂの溝幅は、実施の形態１のように納骨室扉本体部９の下側端部を１６ａ・１６ｂを受容する場合よりも小さくすることができる。これにより、納骨室扉枠部に溝部を形成するスペースがあまりない場合でも、納骨室扉本体部の厚みを薄くすることなく溝幅の小さい溝を形成することができる。
【０１１１】
また、納骨室扉３０では、納骨室扉上枠部３７及び納骨室扉下枠部３８にそれぞれ溝部３７ａ・３７ｂ、３８ａ・３８ｂと溝部が２つずつ形成されているため、この溝部に沿って移動する納骨室扉本体部３９ａ・３９ｂの移動する範囲が固定され、納骨室扉３０の閉じる位置も固定される。
【０１１２】
また、実施の形態１、２の溝部の鉛直断面形状は矩形であるが、本発明はこれに限らず、略半円形状であってもよいし、他の形状であってもよい。
【０１１３】
また、実施の形態１、２では、納骨室扉上枠部、納骨室扉下枠部、及び納骨室扉本体部が湾曲していることにより、扉の移動軌跡も湾曲した形状で表されるスライド扉機構について説明した。本発明はこれに限らず、納骨室扉上枠部、納骨室扉下枠部、及び納骨室扉本体部が湾曲せずに、扉の移動軌跡が直線形状で現されるように移動するスライド扉機構であってもよい。
【０１１４】
実施の形態１、２では、両開き型スライド扉を用いて説明したが、本発明はこれに限られず、引き違い型であってもよく、片開き型であってもよい。
【０１１５】
また、実施の形態１、２では、複数の球体として、焼きの入れたガラス玉を用いているが、本発明はこれに限られず、錆に対して耐性を有するものであれば他のものを用いてもよい。
【０１１６】
実施の形態１、２では、普通のガラス玉ではなく、焼きを入れたガラス玉を用いているが、これはガラス玉が、焼きを入れることにより頑丈になり、石製の納骨室扉本体部の下に設置しても、納骨室扉本体部の重量に耐えられるようになるからである。また、本発明の球体は、必ずしもガラス玉に限らず、例えば、石又はセラミックでもよい。
【０１１７】
また、実施の形態１、２では、納骨室の扉を用いて説明したが、本発明はこれに限られず、香炉に備え付けられた石製の扉や、石製の灯篭などに備え付けられる石製の扉等であってもよい。
【０１１８】
また、実施の形態１、２では、納骨室扉下枠部に形成された溝部のみにガラス玉を備える構成である。しかしながら、本発明はこれに限らず、納骨室扉下枠部に形成された溝部だけでなく納骨室扉上枠部に形成された溝部にもガラス玉を備える構成であってもよい。
【０１１９】
図８は、納骨室扉４０の概略構成を示す図であり、扉の開閉方向から見たときの納骨室扉４０の鉛直断面図である。
【０１２０】
また、実施の形態１、２では、納骨室扉下枠部に形成された溝部に備えられたガラス玉に納骨室扉本体部を載置する構成であったが、本発明はこれに限らず、懸架型の構成であってもよい。具体的には、図８に示すように、納骨室扉上枠部４７に形成された溝部４７ａの内部に、複数のガラス玉１３が並設され、ガラス玉１３が回転することにより、納骨室扉本体部４９の上端部を介して納骨室扉本体部４９は開閉移動するようになっている。
【０１２１】
上記構成によれば、納骨室扉下枠部を形成する必要がないため、扉の製造コストを低減することができる。
【産業上の利用可能性】
【０１２２】
本発明は、例えば納骨室扉や香炉等の墓石関連の石造物に適用することができる。
【図面の簡単な説明】
【０１２３】
【図１】本発明における石製体のスライド機構の実施の一形態を示すものであって、（ａ）は、湾曲している納骨室扉を直線状に伸ばしたときの納骨室扉の鉛直断面図であり、（ｂ）は、（ａ）のＡ矢視図であり、（ｃ）は、納骨室扉の外観を示した斜視図である。
【図２】上記納骨室扉枠部を示したものであって、（ａ）は、納骨室扉下枠部を示した平面図であり、（ｂ）は、納骨室扉上枠部を示した平面図である。
【図３】墓石の全体の外観を示す斜視図である。
【図４】納骨室及び納骨室周辺部の外観を示す斜視図である。
【図５】本発明の他の実施形態における納骨室扉の概略構成を示す図である。
【図６】本発明の実施形態における納骨室扉とは異なる型の納骨室扉の一例を示すものであって、（ａ）は、湾曲している納骨室扉を直線状に伸ばしたときの納骨室扉の鉛直断面図であり、（ｂ）は、（ａ）のＡ矢視図である。（ｃ）は、納骨室扉の外観を示した斜視図である。
【図７】納骨室扉枠部を示すものであって、（ａ）は、納骨室扉下枠部を示した平面図であり、（ｂ）は、納骨室扉上枠部を示した平面図である。
【図８】本発明の実施形態における納骨室扉とは異なる型の納骨室扉の一例を示した鉛直断面図である。
【図９】従来の納骨室扉を示すものであって、（ａ）は、従来の納骨室扉の斜視図であり、（ｂ）は、従来の納骨室扉の下枠部の斜視図であり、（ｃ）は、従来の納骨室扉の下枠部の上面図である。
【符号の説明】
【０１２４】
１      墓石
２      墓石本体部
３      外柵部
４      香炉部
５      花立部
６      香炉台
７、３７、４７      納骨室扉上枠部（支持体）
８、３８      納骨室扉下枠部（支持体）
７ａ、８ａ、３７ａ、３７ｂ、３８ａ、３８ｂ      溝部
９、９ａ、９ｂ、１９ａ、３９ａ、３９ｂ、４９      納骨室扉本体部（石製体）
２１ａ、２２ａ、３５ａ、３５ｂ、３６ａ、３６ｂ      突出部（突条部）
１０、２０、３０、４０    納骨室扉
１１    納骨室外郭部
１２      納骨室
１３      ガラス玉（球体）
１４      把持部
１７、３３ａ、３３ｂ    排水溝（排水部）
【図１】
2008115655.tif 000003
【図２】
2008115655.tif 000004
【図３】
2008115655.tif 000005
【図４】
2008115655.tif 000006
【図５】
2008115655.tif 000007
【図６】
2008115655.tif 000008
【図７】
2008115655.tif 000009
【図８】
2008115655.tif 000010
【図９】
2008115655.tif 000011